(57)【要約】【課題】トルクリプルの低減を実現しつつ小型化を図ることのできるポンプを提供する。【解決手段】円環状のステータ５Ａ、５Ｂを所定スペースＳを空けてロータ６の軸方向に対向配置して積層し、その積層された複数相からなるステータの中心にロータ６を配置したモータ２を備えたポンプ１。このポンプ１では、相対向する２つのステータ５Ａ、５Ｂ間の前記スペースＳに、モータ１の回転力で回転する羽根車３を配置し且つ羽根車の回転により液体を吸込口２４から吸い込んで吐出口２５へと流出させる流体経路を構成するポンプ室４を設けた。【選択図】図１
2011038457.tif 000002
【特許請求の範囲】
【請求項１】
内周部に周方向に沿って磁極を複数有し且つ巻き線を収容した円環状のステータを所定スペースを空けてロータの軸方向に対向配置して積層し、その積層された複数相からなるステータの中心にロータを配置し、各相のステータ磁極と対向するロータの外周部位にマグネットをそれぞれ周方向に沿って複数設けたモータを備え、
前記ステータのうち、相対向する２つのステータ間の前記スペースに、前記モータの回転力で回転する羽根車を配置させ且つ羽根車の回転により流体を吸込口から吸い込んで吐出口へと流出させる流体経路を構成するポンプ室を設けた
ことを特徴とするポンプ。
【請求項２】
請求項１に記載のポンプであって、
前記ステータの磁極は、前記ロータの軸方向に延在する爪磁極からなる
ことを特徴とするポンプ。
【請求項３】
請求項２に記載のポンプであって、
前記各ステータに形成された前記爪磁極は、各相間で周方向においてそれぞれずれた位置に配置された
ことを特徴とするポンプ。
【請求項４】
請求項１又は請求項２に記載のポンプであって、
前記ロータのマグネットの磁極は、各相間で周方向においてそれぞれずれた位置に配置されている
ことを特徴とするポンプ。
【請求項５】
請求項１から請求項４の何れか１項に記載のポンプであって、
前記羽根車は、前記ロータのロータ軸方向途中部位に前記ポンプ室と対応する位置に直接設けられた
ことを特徴とするポンプ。
【請求項６】
請求項１から請求項５の何れか１項に記載のポンプであって、
前記ロータの軸方向に前記吸込口が設けられ、前記ロータの軸方向と垂直な方向に吐出口が設けられた
ことを特徴とするポンプ。
【請求項７】
請求項６に記載のポンプであって、
前記吸込口は、前記ロータの軸方向両端部にそれぞれ設けられた
ことを特徴とするポンプ。
【請求項８】
請求項１から請求項７の何れか１項に記載のポンプを用いたことを特徴とする食器洗浄機。
【請求項９】
請求項１から請求項７の何れか１項に記載のポンプを用いたことを特徴とする洗濯機。
【請求項１０】
請求項１から請求項７の何れか１項に記載のポンプを用いたことを特徴とする給湯機器。
【発明の詳細な説明】
【技術分野】
【０００１】
本発明は、ポンプ及びこのポンプを用いた食器洗浄機、洗濯機、給湯機器に関する。
【背景技術】
【０００２】
例えば、爪磁極を有したクローポール型モータを用いたポンプでは、ステータに形成された隣り合う爪磁極間に隙間が生じるため、大きなトルクリプルが発生し、振動特性及び騒音特性に影響するという問題がある。これは、ロータと爪磁極との間の磁気抵抗が磁極部と隙間部で大きく異なるためである。
【０００３】
この問題を解決する技術として、ステータ磁極を複数相にし、各相のステータ間に所定厚のスペーサを設けることでトルクリプルを低減させたものがある（例えば、特許文献１参照）。この特許文献１では、各相のステータ間に所定厚のスペーサを設けることで、一方の相から他方の相へと漏洩する磁束を抑制することでディンテントルクを低減させている。
【先行技術文献】
【特許文献】
【０００４】
【特許文献１】特開平６−２２５３２号公報
【発明の概要】
【発明が解決しようとする課題】
【０００５】
しかしながら、特許文献１に記載の技術では、各相のステータ間に所定厚のスペーサを介在させているため、このスペーサの厚み分、ポンプが大型化する。
【０００６】
そこで、本発明は、トルクリプルの低減を実現しつつ小型化を図ることのできるポンプ及びこのポンプを用いた食器洗浄機、洗濯機、給湯機器を提供することを目的とする。
【課題を解決するための手段】
【０００７】
請求項１に記載のポンプは、内周部に周方向に沿って磁極を複数有し且つ巻き線を収容した円環状のステータを所定スペースを空けてロータの軸方向に対向配置して積層し、その積層された複数相からなるステータの中心にロータを配置し、各相のステータ磁極と対向するロータの外周部位にマグネットをそれぞれ周方向に沿って複数設けたモータを備え、前記ステータのうち、相対向する２つのステータ間の前記スペースに、前記モータの回転力で回転する羽根車を配置させ且つ羽根車の回転により流体を吸込口から吸い込んで吐出口へと流出させる流体経路を構成するポンプ室を設けたことを特徴とする。
【０００８】
請求項２に記載の発明は、請求項１に記載のポンプであって、前記ステータの磁極は、前記ロータの軸方向に延在する爪磁極からなることを特徴とする。
【０００９】
請求項３に記載の発明は、請求項２に記載のポンプであって、前記各ステータに形成された前記爪磁極は、各相間で周方向においてそれぞれずれた位置に配置されたことを特徴とする。
【００１０】
請求項４に記載の発明は、請求項１又は請求項２に記載のポンプであって、前記ロータのマグネットの磁極は、各相間で周方向においてそれぞれずれた位置に配置されていることを特徴とする。
【００１１】
請求項５に記載の発明は、請求項１から請求項４の何れか１項に記載のポンプであって、前記羽根車は、前記ロータのロータ軸方向途中部位に前記ポンプ室と対応する位置に直接設けられたことを特徴とする。
【００１２】
請求項６に記載の発明は、請求項１から請求項５の何れか１項に記載のポンプであって、前記ロータの軸方向に前記吸込口が設けられ、前記ロータの軸方向と垂直な方向に吐出口が設けられた遠心式ポンプであることを特徴とする。
【００１３】
請求項７に記載の発明は、請求項６に記載のポンプであって、前記吸込口は、前記ロータの軸方向両端部にそれぞれ設けられたことを特徴とする。
【００１４】
請求項８に記載の発明は、請求項１から請求項７の何れか１項に記載のポンプを用いた食器洗浄機であることを特徴とする。
【００１５】
請求項９に記載の発明は、請求項１から請求項７の何れか１項に記載のポンプを用いた洗濯機であることを特徴とする。
【００１６】
請求項１０に記載の発明は、請求項１から請求項７の何れか１項に記載のポンプを用いた給湯機器であることを特徴とする。
【発明の効果】
【００１７】
請求項１に記載のポンプによれば、相対向する２つのステータ間のスペースに、モータの回転力で回転する羽根車を配置させ且つ羽根車の回転により流体を吸込口から吸い込んで吐出口へと流出させる流体経路を構成するポンプ室を設けたので、本来モータ駆動には不要な前記スペースを有効利用することができ、ポンプの小型化を図ることができる。また、本発明のポンプによれば、ポンプ室内に流体が流れることでモータを冷却することができる。
【００１８】
請求項２に記載のポンプによれば、ステータの磁極を爪磁極としたので、ステータ自体の厚みを薄くすることができる。
【００１９】
請求項３に記載のポンプによれば、各ステータに形成された爪磁極を、各相間で周方向においてそれぞれずれた位置に配置させたので、各相のトルク波形の脈動が相殺され、トルクリプルを低減することができる。
【００２０】
請求項４に記載のポンプによれば、ロータのマグネットの磁極を、各相間で周方向においてそれぞれずれた位置に配置させたので、各相のトルク波形の脈動が相殺され、トルクリプルを低減することができる。
【００２１】
請求項５に記載のポンプによれば、ロータのロータ軸方向途中部位にポンプ室と対応する位置に羽根車を直接設けたので、ロータの回転を直接羽根車に伝達することができる。
【００２２】
請求項６に記載のポンプによれば、ロータの軸方向に吸込口を設けると共にロータの軸方向と垂直な方向に吐出口を設けたので、遠心式ポンプとして利用することができる。
【００２３】
請求項７に記載のポンプによれば、吸込口をロータの軸方向両端部にそれぞれ設けたので、２箇所からの吸込口を利用することができる。
【００２４】
請求項８に記載の食器洗浄機によれば、本発明のポンプを用いるので、ポンプの小型化によって食器洗浄機自体の小型化を図ることができると共に、トルクリプルの低減により低振動且つ低騒音化できる。
【００２５】
請求項９に記載の洗濯機によれば、本発明のポンプを用いるので、ポンプの小型化によって洗濯機自体の小型化を図ることができると共に、トルクリプルの低減により低振動且つ低騒音化できる。
【００２６】
請求項１０に記載の給湯機器によれば、本発明のポンプを用いるので、ポンプの小型化によって給湯機器自体の小型化を図ることができると共に、トルクリプルの低減により低振動且つ低騒音化できる。
【図面の簡単な説明】
【００２７】
【図１】図１は第１実施形態におけるポンプの断面図である。
【図２】図２は第１実施形態のポンプにおけるステータの斜視図である。
【図３】図３は第１実施形態のポンプにおけるステータの分解斜視図である。
【図４】図４は第１実施形態のポンプにおける各ステータに形成した爪磁極を各相間で周方向にずらして配置させた例を示し、（Ａ）はその爪磁極の配置状態を示す図、（Ｂ）はこの場合のトルクリプルを示す図である。
【図５】図５は第１実施形態のポンプにおけるロータを示し、（Ａ）は正面図、（Ｂ）は（Ａ）のＡ−Ａ線断面図、（Ｃ）は（Ａ）のＢ−Ｂ線断面図、（Ｄ）は（Ａ）のＣ−Ｃ線断面図である。
【図６】図６は第１実施形態のポンプにおける他のロータ構造を示し、（Ａ）は正面図、（Ｂ）は（Ａ）のＤ−Ｄ線断面図、（Ｃ）は（Ａ）のＥ−Ｅ線断面図である。
【図７】図７は第１実施形態のポンプにおけるさらに他のロータ構造を示し、（Ａ）は正面図、（Ｂ）は分解斜視図である。
【図８】図８は第２実施形態のポンプにおけるロータのマグネットの磁極を各相間で周方向にずらして配置させた例を示し、（Ａ）はそのマグネットの配置状態を示す図、（Ｂ）は各ステータの爪磁極の配置状態を示す図、（Ｃ）はこの場合のトルクリプルを示す図である。
【図９】図９は第３実施形態を示し、（Ａ）はロータの軸方向に吸込口を設けると共にロータの軸方向と垂直な方向に吐出口を設けた遠心式ポンプの断面図、（Ｂ）は（Ａ）のＦ−Ｆ線断面図、（Ｃ）は（Ａ）のＧ−Ｇ線断面図である。
【図１０】図１０は第４実施形態を示し、（Ａ）はロータの軸方向両端部に吸込口を設けると共にロータの軸方向と垂直な方向に吐出口を設けた遠心式ポンプの断面図、（Ｂ）は（Ａ）のＨ−Ｈ線断面図、（Ｃ）は（Ａ）のＩ−Ｉ線断面図である。
【図１１】図１１は第５実施形態を示し、本発明のポンプを用いた食器洗浄機の内部構造を示す模式図である。
【図１２】図１２は第６実施形態を示し、本発明のポンプを用いた洗濯機の内部構造を示す模式図である。
【図１３】図１３は第７実施形態を示し、本発明のポンプを用いた給湯ユニットの回路図である。
【発明を実施するための形態】
【００２８】
以下、本発明を適用した具体的な実施形態について図面を参照しながら詳細に説明する。
【００２９】
［第１実施形態］
第１実施形態のポンプ１は、図１に示すように、モータ２と、このモータ２を駆動源として回転する羽根車３を収容配置し流体経路を構成するポンプ室４と、を有している。モータ２は、主としてステータ５とロータ６とからなる。本実施形態では、モータ２の構成として、円環状をなすステータ５の中心にロータ６を回転可能に配置したインナーロータ型モータとしている。
【００３０】
ステータ５は、同一構成の第１ステータ５Ａと第２ステータ５Ｂの２つのステータからなる。かかるステータ５（５Ａ、５Ｂ）は、図２及び図３に示すように、円環状（若しくはリング形状）をなす２のステータコア７、８と、これらステータコア７、８が結合されることで形成される巻線収容部に収容される円環状の巻き線９と、により構成されている。
【００３１】
各ステータコア７、８には、円環部７Ａ、８Ａの内周部に周方向に沿って磁極である爪磁極（クローポール）１０、１１が複数形成されている。爪磁極１０、１１は、ロータ６の軸方向に爪形状をなす舌片として延在して形成されており、内周部を約４等分する位置にそれぞれ設けられている。各爪磁極１０、１１と円環部７Ａ、８Ａとの間には、これらを連結すると共に巻き線収容部を形成する連結部１２、１３が形成されている。この連結部１２、１３は、爪磁極１０、１１の基端部と円環部７Ａ、８Ａの基端側とを水平に連結することで、後述する巻き線９を配置させる巻線収容部を構成する。
【００３２】
これら２つのステータコア７、８は、互いの爪磁極１０、１１の先端側を組み合わせ側として上下に組み合わされると共に、一方の爪磁極１０の間に他方の爪磁極１１が挿入配置されるように結合される。これにより、ステータの内周部には、下向きの爪磁極１０と上向きの爪磁極１１が交互に周方向に沿って配列されることになる。これら爪磁極１０、１１の長さは、何れも２つのステータコア７、８を重ねた厚み寸法と同程度の長さとされている。
【００３３】
巻き線９は、円環状をなすコイルとされ、２つのステータコア７、８が結合されることで形成される巻線収容部に配置される。この巻き線９には、モータ２を駆動させるための電流が通電される。巻き線９に電流が通電されると、発生した磁界により爪磁極１０、１１が励磁され、ロータ６に設けられたマグネットとの間に該ロータ６を回転させるための回転駆動力としての吸引反発力を生成する。なお、巻き線９は、図示を省略したコイルボビンに設けられているものとする。
【００３４】
第１ステータ５Ａと第２ステータ５Ｂは、ポンプケース１２内にロータ６の軸方向に対向配置して積層され、所定スペースＳを空けて上下に配置されている。各ステータ５Ａ、５Ｂに形成された爪磁極１０、１１は、各相で周方向においてそれぞれずれた位置に配置されている。具体的には、図４に示すように、第１相となる第１ステータ５Ａの爪磁極１０、１１に対して、第２相となる第２ステータ５Ｂの爪磁極１０、１１が、同一位置では周方向にずれた位置に配置されている。別の見方をすると、第１ステータ５Ａの爪磁極１０、１１間の隙間１４に、第２ステータ５Ｂの爪磁極１０、１１が対応するように配置されている。
【００３５】
このような爪磁極１０、１１の配列とすれば、第１相の第１ステータ５Ａの爪磁極１０、１１とロータ６間の磁気抵抗が磁極部と隙間部で異なっても、該爪磁極１０、１１間の前記隙間１４に対応する位置に第２相の第２ステータ５Ｂの爪磁極１０、１１が対応して配置されるため、この第２ステータ５Ｂの爪磁極１０、１１とロータ６間の磁気抵抗が磁極部での磁気抵抗となることから、トルクリプル（図４の矩形状をなす波形の高さ）を低減させることができる。
【００３６】
ロータ６は、図５に示すように、各相のステータ磁極（爪磁極１０、１１）と対向する外周部位６Ａ、６Ｂにマグネット１５、１６をそれぞれ周方向に沿って複数有している。第１ステータ５Ａの爪磁極１０、１１と対応する外周部位６Ａには、円周を４等分する位置にマグネット１５が設けられている。また、第２ステータ５Ｂの爪磁極１０、１１と対応する外周部位６Ｂには、同じく円周を４等分する位置にマグネット１６が設けられている。
【００３７】
第１ステータ５Ａに設けられたマグネット１５と第２ステータ５Ｂに設けられたマグネット１６は、周方向において同一位置にそれぞれ設けられている。また、これらマグネット１５、１６は、周方向において磁極が交合となるように設けられている（Ｎ極とＳ極が交互に配列されている）。前記マグネット１５、１６は、永久磁石をロータ６の外周部６Ａ、６Ｂに埋め込むようにして形成されていてもよく、或いはロータ６の外周部６Ａ、６Ｂに電磁石で着磁することにより形成されていてもよい。
【００３８】
前記ロータ６は、ポンプケース１２に形成された固定軸ガイド１７、１８を挿入させるガイド挿入穴１９、２０を有している。ガイド挿入穴１９、２０は、ロータ６の中心に上下端面からそれぞれ円形穴としてその中心部近傍に渡って形成されている。また、ロータ６の中心には、前記固定軸ガイド１７、１８にその両端を固定させた固定軸２１を挿入させる回転中心孔２２が形成されている。この回転中心孔２２には、前記固定軸２１を中心としてロータ６を軸周りに回転させるための軸受け（図示は省略する）が設けられている。
【００３９】
羽根車３は、ロータ６のロータ軸方向途中部位に前記ポンプ室４と対応する位置に直接設けられている。かかる羽根車３は、図５に示すように、ロータ６の外周面から複数枚の羽根２３が飛び出ないように形成されている。前記羽根車３は、金型内に鉄粉を入れて加圧することでロータ６を形成する際に、このロータ６と一体的に形成される。
【００４０】
この他、羽根車３には、図６に示すように、ロータ６の外周面から複数枚の羽根２３を飛び出させて形成したものを使用することもできる。この羽根車３も同様、ロータ６と一体的に形成されている。更にこの他、羽根車３には、図７に示すように、２つに分離させたロータ６の各結合面に羽根２３、２３を形成したものを使用することもできる。この羽根車３は、２つに分離させたロータ６、６同士の結合面同士を結合させることで、互いに結合面に形成された羽根２３、２３が重なり合わされることで構成される。
【００４１】
ポンプ室４は、相対向する２つのステータ５Ａ、５Ｂ間のスペースＳに配置されている。かかるポンプ室４は、モータ２の回転力で回転する羽根車３を収容配置し且つ羽根車３の回転により流体を吸込口２４から吸い込んで吐出口２５へと流出させる流体経路を構成する。吸込口２４と吐出口２５は、何れもポンプケース１２の外側に突出して設けられ、ロータ６の直径方向における相対向する位置にそれぞれ設けられている。この流体経路は、ロータ６の軸方向と交差する垂直方向から流体を吸い込んで排出するように構成されている。前記流体経路の途中には、前記羽根車３が配置されている。流体は、前記羽根車３が回転することで吸込口２４から流体経路内に導入され、反対側に設けられた吐出口２５へと真っ直ぐに排出されることになる。
【００４２】
なお、図１のポンプ１においては、ロータ６とステータ５（５Ａ、５Ｂ）間及びポンプ室４とステータ５（５Ａ、５Ｂ）間が水密構造とされている。
【００４３】
以上のように構成された第１実施形態のポンプによれば、相対向する２つのステータ５Ａ、５Ｂ間のスペースＳに、モータ２の回転力で回転する羽根車３を配置させ且つ羽根車３の回転により流体を吸込口２４から吸い込んで吐出口２５へと流出させる流体経路を構成するポンプ室４を設けたので、本来モータ駆動には不要な前記スペースＳを有効利用することができ、ポンプ１の小型化を図ることができる。また、本実施形態のポンプによれば、ポンプ室４内に流体が流れることでモータ２を冷却することができ、モータ効率の低減を抑制することができる。
【００４４】
また、第１実施形態のポンプによれば、ステータ５（５Ａ、５Ｂ）の磁極を爪磁極（クローポール）１０、１１としたので、ステータ自体の厚みを薄くすることができる。
【００４５】
また、第１実施形態のポンプによれば、各ステータ５（５Ａ、５Ｂ）に形成された爪磁極１０、１１を、各相間で周方向においてそれぞれずれた位置に配置させたので、各相のトルク波形の脈動が相殺され、トルクリプルを低減することができる。したがって、本実施形態のポンプによれば、トルクリプルの低減により振動特性及び騒音特性が向上する。
【００４６】
また、第１実施形態のポンプによれば、ロータ６のロータ軸方向途中部位にポンプ室４と対応する位置に羽根車３を直接設けたので、ロータ６の回転を直接羽根車３に伝達することができる。また、本実施形態のポンプによれば、羽根車３をロータ６に直接設けているので、部品点数を少なくすることができると共に耐久性を高めることができる。
【００４７】
［第２実施形態］
第２実施形態では、ロータ６とステータ５の磁極の位相を各相間でずらす手段として、第１実施形態のように各ステータ５Ａ、５Ｂの爪磁極１０、１１の位置を各相間で周方向にずらすのではなく、ロータ６に設けたマグネット１５、１６の磁極（Ｎ極、Ｓ極）を各相間で周方向においてそれぞれずらした。
【００４８】
具体的には、図８に示すように、第１ステータ５Ａと対応する外周部位６Ａに設けられた各マグネット１５間に、第２ステータ５Ｂと対応する外周部位６Ｂに設けられたマグネット１６が対応して配置されている。詳細に説明すると、第１ステータ５Ａと対応する外周部位６Ａに設けられたマグネット１５、１５間の隙間部と対応する位置に、第２ステータ５Ｂと対応する外周部位６Ｂに設けられたマグネット１６を配置するようにして、各相間のマグネット１５、１６の磁極を周方向でずらしている。この一方、第２実施形態では、第１ステータ５Ａと第２ステータ５Ｂの各爪磁極１０、１１は周方向において同一位置に配置する。
【００４９】
第２実施形態のポンプによれば、ロータ６のマグネット１５、１６の磁極を、各相間で周方向においてそれぞれずれた位置に配置させたので、第１実施形態と同様、各相のトルク波形の脈動が相殺され、トルクリプルを低減することができる。したがって、本実施形態のポンプによれば、トルクリプルの低減により振動特性及び騒音特性が向上する。
【００５０】
［第３実施形態］
第３実施形態では、ロータ６の軸方向に吸込口２４を設け、ロータ６の軸方向と垂直な方向に吐出口２５を設けた遠心式ポンプの例である。この第３実施形態のポンプは、図９（Ａ）に示すように、固定軸２１の軸方向端部から流体を吸い込んで該固定軸２１の軸方向と垂直な方向へ流体を吐出させる。
【００５１】
この第３実施形態では、ロータ６の軸方向に設けた吸込口２４からロータ６の中心に流体を流入させるため、ロータ６の中心には流体導入用孔２６を形成している。また、第３実施形態では、ロータ６の回転軸となる固定軸２１をポンプケース１２に固定させる一方の固定軸ガイド１７を、図９（Ｂ）に示すように３本の連結部材２７でポンプケース１２に連結させている。この実施形態では、吸込口２４から吸い込んだ流体をロータ６の中心に形成した流体導入用孔２６に導入させるために、各固定軸ガイド１７間に通水路２６Ａを形成している。
【００５２】
また、第３実施形態では、前記固定軸ガイド１７の下方に前記固定軸２１の軸受けとなる軸受け部２８と、図９（Ｃ）で示すような流体を吸い込むスクリュー形状の羽根２９を設けている。羽根２９は、軸受け部２８とロータ６に一体的に形成され、吸込口２４から流体導入用孔２６へと流体を導入させる。本実施形態では、羽根２９を４つ設けている。
【００５３】
なお、第３実施形態のポンプは、吸入口２４をロータ６の軸方向に設けた点とロータ６の形状を少し変えた点を除いては第１実施形態のポンプとほぼ同一構成とされている。
【００５４】
以上のように構成されたポンプによれば、ロータ６の軸方向に吸込口２４を設けると共にロータ６の軸方向と垂直な方向に吐出口２５を設けたので、遠心式ポンプとして利用することができる。もちろん、本実施形態のポンプによれば、第１実施形態と同様、相対向する２つのステータ５Ａ、５Ｂ間のスペースＳに、モータ２の回転力で回転する羽根車３を配置させ且つ羽根車３の回転により流体を吸込口２４から吸い込んで吐出口２５へと流出させる流体経路を構成するポンプ室４を設けているので、本来モータ駆動には不要なスペースＳを有効利用することができ、ポンプ２の小型化を図ることができる。
【００５５】
［第４実施形態］
第４実施形態では、第３実施形態のポンプ構造に加えて、ロータ６の軸方向両端部に吸込口２４をそれぞれ設けた遠心式ポンプの例である。この第４実施形態のポンプは、図１０（Ａ）に示すように、固定軸２１の軸方向両端部から流体を吸い込んで該固定軸２１の軸方向と垂直な方向へ流体を吐出させる。
【００５６】
なお、第４実施形態のポンプは、ロータ６の軸方向両端部に吸込口２４をそれぞれ設けた点及び固定軸２１の両端を固定する固定軸ガイド１７、１７の構造を図１０（Ｂ）に示すように第３実施形態と同一構成する点を除けば他の構成は同一である。
【００５７】
以上のように構成されたポンプによれば、吸込口２４が２箇所設けられているので、２箇所から流体をポンプ室４に導入することができ、流体導入量を増やすことができ、ポンプ効率を高めることができる。
【００５８】
［第５実施形態］
第５実施形態では、本発明（第１実施形態〜第４実施形態）のポンプを給湯機器に用いた例である。図１１は、食器洗浄機１００を示しており、この食器洗浄機１００では、水または温水が給水口１０１から貯水槽１０２に供給されるようになっている。貯水槽１０２に供給された水または温水は、洗浄ポンプＰ１によって貯水槽１０２からノズル１０３に送られ、水または温水をノズル１０３から噴出することで食器洗浄機１００内に配置した食器１０４を洗浄するようになっている。
【００５９】
なお、本実施形態では、洗浄後の水または温水は、下方に落下して貯水槽１０２に溜められ、浄水ポンプＰ１によって再度ノズル１０３に送られるようになっている。そして、所定時間循環洗浄した後に、洗浄ポンプＰ１を停止して排水ポンプＰ２を作動させることで、貯水槽１０２内の水が排水される。
【００６０】
次に、給水口１０１から再度、水はたは温水を貯水槽１０２に供給した後、洗浄ポンプＰ１を所定時間作動させて濯ぎを行う。その後、洗浄ポンプＰ１を停止して排水ポンプＰ２を作動させて貯水槽１０２の水または温水を排水する。以上の動作を数回繰り返して濯ぎを行うことで、食器洗浄機１００内に配置した食器１０４が洗浄される。
【００６１】
本実施形態では、上述した洗浄ポンプＰ１および排水ポンプＰ２に、前記した第１実施形態から第４実施形態で例示したポンプを用いている。このように、本実施形態によれば、本発明のポンプを用いて洗浄ポンプＰ１および排水ポンプＰ２を構成することで、小型でしかも低振動且つ低騒音な食器洗浄機１００を提供することができる。
【００６２】
［第６実施形態］
第６実施形態では、本発明（第１実施形態〜第４実施形態）のポンプを洗濯機に用いた例である。図１２は、洗濯機２００を示している。この洗濯機２００は、洗濯槽２０１が図示せぬモータによって回転制御されており、当該洗濯槽２０１を回転させるとともに、洗濯機２００内の水を循環ポンプＰ３で循環させることで衣類などの洗濯を行うようにしている。
【００６３】
本実施形態の洗濯機２００では、上述した循環ポンプＰ３に、前記した第１実施形態から第４実施形態で例示したポンプを用いている。このように、本実施形態によれば、本発明のポンプを用いて循環ポンプＰ３を構成することで、小型でしかも低振動且つ低騒音な洗濯機２００を得ることができる。また、本実施形態の洗濯機２００では、循環ポンプＰ３が小型化されることで洗濯槽内のスペースを大きくとることができると共に省エネとすることができる。
【００６４】
［第７実施形態］
第７実施形態では、本発明（第１実施形態〜第４実施形態）のポンプを給湯機器に用いた例である。図１３は、給湯機器である給湯ユニット３００のエコキュートシステム概略図を示している。この給湯ユニット３００は、エコキュート、ガス給湯機器およびコジェネレーションなどに用いることができる。
【００６５】
給湯ユニット３００は、ヒートポンプユニット３０１、貯湯ユニット３０２、風呂３０３、床暖房３０４および追い焚き熱交換器３０５や暖房熱交換器３０６等を備えている。
【００６６】
また、給湯ユニット３００には、台所や洗面用の温水蛇口３０７やお湯をためる補助タンク３０８が設けられており、かつ、給水口３０９の下流には減圧弁３１０が設けられるとともに、床暖房３０４には熱動弁３１１が設けられている。更に、それぞれの配管には、複数の混合弁３１２や安全弁３１３が設けられている。
【００６７】
そして、複数のポンプＰ４、Ｐ５、Ｐ６、Ｐ７、Ｐ８を駆動させるとともに、上記各弁を制御することで、風呂３０３や台所や洗面用の温水蛇口３０７等に、水やお湯を所望の温度、流量で供給できるようにしている。
【００６８】
第７実施形態では、上述したポンプＰ４〜Ｐ８に、前記した第１実施形態から第４実施形態で例示したポンプＰを用いている。このように、本実施形態によれば、給湯ユニット３００に本発明のポンプを用いてそれぞれのポンプＰ４〜Ｐ８を構成することで、小型でしかも低振動且つ低騒音な給湯ユニット３００を得ることができる。
【産業上の利用可能性】
【００６９】
本発明は、給湯機器、食器洗浄機、洗濯機等のポンプに利用することができる。
【符号の説明】
【００７０】
１…ポンプ
２…モータ
３…羽根車
４…ポンプ室
５…ステータ
５Ａ…第１ステータ
５Ｂ…第２ステータ
６…ロータ
７、８…ステータコア
９…巻き線
１０、１１…爪磁極
１５、１６…マグネット
２３…羽根
２４…吸込口
２５…吐出口
【図１】
2011038457.tif 000003
【図２】
2011038457.tif 000004
【図３】
2011038457.tif 000005
【図４】
2011038457.tif 000006
【図５】
2011038457.tif 000007
【図６】
2011038457.tif 000008
【図７】
2011038457.tif 000009
【図８】
2011038457.tif 000010
【図９】
2011038457.tif 000011
【図１０】
2011038457.tif 000012
【図１１】
2011038457.tif 000013
【図１２】
2011038457.tif 000014
【図１３】
2011038457.tif 000015